【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
画像を表示する表示モジュールと、
前記表示モジュールを冷却するファンと、
前記ファンの回転速度を制御する制御手段と、
前記表示モジュールの周囲の温度に対応する検出値を取得する第１の温度取得手段と
を備え、
前記制御手段は、所定の信号が入力されたことに応じて、前記ファンの回転速度を第１の回転速度から、前記第１の回転速度よりも小さい第２の回転速度に変更し、
前記検出値に基づく第１の期間が経過したことに応じて、前記ファンの回転速度を前記第２の回転速度から、前記第２の回転速度よりも大きい第３の回転速度に変更することを特徴とする画像表示装置。
【請求項２】
前記第２の回転速度は、０であることを特徴とする請求項１に記載の画像表示装置。
【請求項３】
前記第３の回転速度は、前記第１の回転速度と同じであることを特徴とする請求項１または請求項２に記載の画像表示装置。
【請求項４】
前記第３の回転速度は、前記第１の回転速度よりも大きいことを特徴とする請求項１または請求項２に記載の画像表示装置。
【請求項５】
前記制御手段は、前記所定の信号が入力されたことに応じて、前記第１の温度取得手段が取得した前記検出値に基づいて前記第１の期間を決定することを特徴とする請求項１乃至請求項４のいずれか１項に記載の画像表示装置。
【請求項６】
前記制御手段は、前記第１の期間が経過したことに応じて、少なくとも前記検出値に応じて決定される第２の期間だけ前記第３の回転速度で前記ファンを動作させ、前記第２の期間が経過したことに応じて、前記第１の回転速度で前記冷却ファンを動作させることを特徴とする請求項１乃至請求項５のいずれか１項に記載の画像表示装置。
【請求項７】
前記制御手段は、さらに前記第２の期間中に前記検出値を取得し、取得した前記検出値に応じて前記第３の回転速度と前記第２の期間とを変更することを特徴とする請求項６に記載の画像表示装置。
【請求項８】
前記制御手段は、前記検出値と前記表示モジュールから発生する熱量を示す熱量パラメータに応じて前記第１の期間を決定し、前記冷却ファンの動作を制御することを特徴とする請求項１乃至請求項７のいずれか１項に記載の画像表示装置。
【請求項９】
前記制御手段は、前記検出値および前記熱量パラメータと前記冷却ファンの回転速度とを関連付けた動作情報、前記検出値、および前記熱量パラメータに基づいて、前記冷却ファンの回転速度を制御することを特徴とする請求項８に記載の画像表示装置。
【請求項１０】
前記熱量パラメータは、前記表示モジュールの駆動電圧、駆動電流、消費電力、輝度設定値のうち少なくともいずれかであることを特徴とする請求項８または請求項９に記載の画像表示装置。
【請求項１１】
前記表示モジュールは、
画像を表示する液晶パネルと、
前記液晶パネルに光を照射するバックライトユニットと
を備え、
前記熱量パラメータは、前記表示モジュールの駆動電圧、駆動電流、消費電力、輝度設定値、もしくは前記バックライトユニットの発光輝度値の少なくともいずれかであることを特徴とする請求項８乃至請求項１０のいずれか１項に記載の画像表示装置。
【請求項１２】
前記画像表示装置は、撮像した画像の記録を開始したことに応じて記録信号を出力する撮像装置と接続しており、
前記所定の信号は、前記撮像装置から入力された前記記録信号であることを特徴とする請求項１乃至請求項１１のいずれか１項に記載の画像表示装置。
【請求項１３】
ユーザの操作に応じて前記所定の信号を出力する操作手段を備えることを特徴とする請求項１乃至請求項１２のいずれか１項に記載の画像表示装置。
【請求項１４】
前記表示モジュールの温度を取得する第２の温度取得手段を備え、
前記制御手段が前記ファンを前記第２の回転速度で動作させている状態で、前記第２の温度取得手段が検出した温度が、所定の温度を超えた場合に、前記制御手段は前記ファンを前記第３の回転速度で制御することを特徴とする請求項１乃至請求項１３のいずれか１項に記載の画像表示装置。
【請求項１５】
画像を表示する表示モジュールと、
回転により前記表示モジュールを冷却するファンと、
前記表示モジュールの周囲の環境温度に関連する検出値を取得する第１の温度取得手段と
を備える画像表示装置の制御方法であって、
所定の信号を受信したことに応じて、前記ファンの回転速度を第１の回転速度から前記第１の回転速度よりも小さい第２の回転速度に変更し、
前記ファンの回転速度を前記第１の回転速度から前記第２の回転速度に変更してから前記検出値に応じて決定される第１の期間が経過したことに応じて、前記ファンの回転速度を前記第２の回転速度から、前記第２の回転速度よりも大きい第３の回転速度に変更することを特徴とする画像表示装置の制御方法。
【請求項１６】
画像を表示する表示モジュールと、
回転により前記表示モジュールを冷却する冷却ファンと、
前記冷却ファンの動作モードを変更するためのモード変更信号を検出したことに応じて、前記冷却ファンの動作を制御する制御手段と、
前記表示モジュールの周囲の環境温度に関連する検出値を取得する第１の温度取得手段と
を備え、
前記制御手段は、前記冷却ファンが第１の動作モードで動作している状態で、前記第１の動作モードよりも小さい音で動作する第２の動作モードに前記冷却ファンの動作モードを変更するモード変更信号を検出した場合、前記検出値に応じて決定される第１の期間だけ前記第２の動作モードで前記冷却ファンを動作させ、前記第１の期間が経過したことに応じて、前記第２の動作モードよりも大きい音で動作する第３の動作モードで前記冷却ファンを動作させることを特徴とする画像表示装置。
【手続補正２】
【補正対象書類名】明細書
【補正対象項目名】０００８
【補正方法】変更
【補正の内容】
【０００８】
上述した課題を解決するために、本発明に係る第１の画像表示装置は、画像を表示する表示モジュールと、前記表示モジュールを冷却するファンと、前記ファンの回転速度を制御する制御手段と、前記表示モジュールの周囲の温度に対応する検出値を取得する第１の温度取得手段とを備え、前記制御手段は、所定の信号が入力されたことに応じて、前記ファンの回転速度を第１の回転速度から、前記第１の回転速度よりも小さい第２の回転速度に変更し、前記検出値に基づく第１の期間が経過したことに応じて、前記ファンの回転速度を前記第２の回転速度から、前記第２の回転速度よりも大きい第３の回転速度に変更することを特徴とする。
【手続補正３】
【補正対象書類名】明細書
【補正対象項目名】０００９
【補正方法】変更
【補正の内容】
【０００９】
本発明に係る第２の画像表示装置は、画像を表示する表示モジュールと、回転により前記表示モジュールを冷却する冷却ファンと、前記冷却ファンの動作モードを変更するためのモード変更信号を検出したことに応じて、前記冷却ファンの動作を制御する制御手段と、前記表示モジュールの周囲の環境温度に関連する検出値を取得する第１の温度取得手段とを備え、前記制御手段は、前記冷却ファンが第１の動作モードで動作している状態で、前記第１の動作モードよりも小さい音で動作する第２の動作モードに前記冷却ファンの動作モードを変更するモード変更信号を検出した場合、前記検出値に応じて決定される第１の期間だけ前記第２の動作モードで前記冷却ファンを動作させ、前記第１の期間が経過したことに応じて、前記第２の動作モードよりも大きい音で動作する第３の動作モードで前記冷却ファンを動作させることを特徴とする。
【手続補正４】
【補正対象書類名】明細書
【補正対象項目名】００１０
【補正方法】変更
【補正の内容】
【００１０】
本発明に係る画像表示装置の制御方法は、画像を表示する表示モジュールと、回転により前記表示モジュールを冷却するファンと、前記表示モジュールの周囲の環境温度に関連する検出値を取得する第１の温度取得手段とを備える画像表示装置の制御方法であって、所定の信号を受信したことに応じて、前記ファンの回転速度を第１の回転速度から前記第１の回転速度よりも小さい第２の回転速度に変更し、前記ファンの回転速度を前記第１の回転速度から前記第２の回転速度に変更してから前記検出値に応じて決定される第１の期間が経過したことに応じて、前記ファンの回転速度を前記第２の回転速度から、前記第２の回転速度よりも大きい第３の回転速度に変更することを特徴とする。